(57)【要約】【課題】  スミアを抑制しつつ高品位な黒文字画像を記録でき、ブラックとカラー間の境界ブリーディングを低減した高画質なカラー画像を記録可能な記録装置を提供すること。【解決手段】  ブラックのデューティが高い領域及びブラックとカラー間の境界領域を適切に検出し、それぞれにカラードットを付与する手段を備える。【選択図】  図１
2006240058.tif 000002
【特許請求の範囲】
【請求項１】
ブラックインクと少なくとも１つのカラーインクを記録可能で、ブラックドットとカラードットの解像度が違う記録ヘッドを用いて記録を行なうインクジェット記録装置において、
ブラックドットが近接するブラック画素を検出するブラックドット近接画素検出手段とカラードットの解像度をブラックの解像度に合わせるためのカラードット縮小手段とカラードットが近接するブラック画素を検出するカラードット近接画素検出手段とカラードット近接画素検出手段及びブラックドット近接画素検出手段によって検出された縮小カラードット近傍画素をブラックドットの解像度にあわせるためのカラードット展開手段と、
前記ブラックドット近接画素と第１のカラードット付与用マスクとの論理積をとることで付与するカラードットデータを生成する第１のカラードット付与データ生成手段と、
前記カラードット近接画素と第２のカラードット付与用マスクとの論理積をとることで付与するカラードットデータを生成する第２のカラードット付与データ生成手段と、
前記第１のカラードット付与データ生成手段と前記第２のカラードット付与データ生成手段とによって生成されたカラードット付与データをオリジナルカラーデータと論理和をとることで合成するカラードット付与データ合成手段とブラックオリジナルデータと前記カラードット付与データ合成手段により合成されたカラーデータに基づいて記録を行う記録手段とを有することを特徴とするインクジェット記録装置。
【請求項２】
前記ブラックドット近接画素検出手段は、着目画素を中心としたＬ×Ｍ（Ｌ，Ｍ＝１，３，５．．．ｎ，ｎ＋２）のマトリクス内のブラックドットの論理積をとり、着目画素にブラックドットが存在し、かつ、論理積が真の場合に、前記着目画素のブラックドット近接画素をオフすることを特徴とする請求項１に記載のインクジェット記録装置。
【請求項３】
前記ブラックドット近接画素検出手段は、オリジナルブラックデータを近傍８方向へ所定の画素数分データをくり抜き、くり抜いたデータをブラックドット近接画素とすることを特徴とする請求項１に記載のインクジェット記録装置。
【請求項４】
前記カラードット縮小手段はブラックドットの解像度とカラードットの解像度が１：Ｎ（Ｎ＝１，３，５．．．ｎ，ｎ＋２）の比率の場合、ブラック１ドットに対応するカラーデータをＮ×Ｎのマトリックス内にデータを入れ、すべてのカラードットの論理和をとり、それが真の場合、前記Ｎ×Ｎのマトリックス内のカラーデータに対するカラードット縮小データをオンにすることを特徴とする請求項１に記載のインクジェット記録装置。
【請求項５】
前記カラードット近接画素検出手段は、着目画素を中心としたＬ×Ｍ（Ｌ，Ｍ＝１，３，５．．．ｎ，ｎ＋２）のマトリクス内の全てのカラードット縮小データの論理和をとり、着目画素にブラックドットが存在し、かつ、論理和が真の場合に、前記着目画素のカラードット近接画素をオンすることを特徴とする請求項１に記載のインクジェット記録装置。
【請求項６】
前記カラードット近接画素検出手段は、カラードット縮小データを近傍８方向へ所定の画素数分ボールドしたデータと、ブラックドット近接画素との論理積をとったデータをカラードット近接画素とすることを特徴とする請求項１に記載のインクジェット記録装置。
【請求項７】
前記カラードット展開手段は、ブラックドット近傍画素をカラードットの解像度にするためにブラックドット近傍画素がオンである場合、Ｎ×Ｎの展開マトリックスにデータを置き換えたものを前記ブラックドット近傍展開画素とするものと、カラードット近傍画素を元のカラードットの解像度にするためにカラードット近傍画素がオンである場合、Ｎ×Ｎの展開マトリックスにデータを置き換えたものを前記カラードット近傍展開画素とすることを特徴とすることを特徴とする請求項１に記載のインクジェット記録装置。
【請求項８】
第１のカラードット付与用マスク及び第２のカラードット付与用マスクは、インク色毎に独立に備えることを特徴とする請求項１に記載のインクジェット記録装置。
【請求項９】
前記カラーインクがイエロー，マゼンタ，シアンの３色であることを特徴とする請求項１に記載のインクジェット記録装置。
【請求項１０】
前記カラードット近接画素検出手段が検出するカラードットは、イエロー，マゼンタ，シアンデータの論理和をとったデータとすることを特徴とする請求項１に記載のインクジェット記録装置。
【請求項１１】
前記ブラックインクは比較的浸透性の低いインクであり、前記カラーインクは比較的浸透性の高いインクであることを特徴とする請求項１に記載のインクジェット記録装置。
【請求項１２】
前記カラーインクの内少なくとも１つは前記ブラックインクと反応して凝集するタイプの反応系インクであることを特徴とする請求項１に記載のインクジェット記録装置。
【請求項１３】
前記ブラックインクと反応して凝集するタイプのインクがシアンインクであることを特徴とする請求項６に記載のインクジェット記録装置。
【請求項１４】
前記ブラックオリジナルデータからカラードット近接画素を除いたデータと、カラードット近接画素とブラックデータ間引きマスクとの論理積をとったデータとの論理和データをブラックデータとして記録することを特徴とする請求項１に記載のインクジェット記録装置。
【請求項１５】
前記ブラックオリジナルデータからブラック近接画素を除いたデータと、ブラック近接画素とブラックデータ間引きマスクとの論理積をとったデータとの論理和データをブラックデータとして記録することを特徴とする請求項１に記載のインクジェット記録装置。
【請求項１６】
ブラック，シアン，マゼンタ，イエローのチップを横並びに構成した記録ヘッドを用いて記録することを特徴とする請求項１３に記載のインクジェット記録装置。
【請求項１７】
ブラックインクより先にカラーインクを記録するように印字方向を規定することを特徴とする請求項１３に記載のインクジェット記録装置。
【発明の詳細な説明】
【技術分野】
【０００１】
本発明は、ブラックインクと少なくとも１つのカラーインクを記録可能な複数の記録ヘッドで、かつブラックドットとカラードットの解像度が違う記録ヘッドを用いて記録を行なうインクジェット記録装置に関するものである。
【背景技術】
【０００２】
従来、各種の被記録媒体に対して記録を行うインクジェット記録装置は、高密度かつ高速な記録動作が可能であることから、各種装置の出力媒体としてのプリンタ、あるいはポータブルプリンタ等として応用され、かつ商品化されている。
【０００３】
一般にインクジェット記録装置は、記録手段（記録ヘッド）およびインクタンクを搭載するキャリッジと、被記録媒体を搬送する搬送手段とこれらを制御するための制御手段とを具備する。そして、複数の吐出口からインク滴を吐出させる記録ヘッドを記録紙の搬送方向（副走査方向）と直交する方向（主走査方向）にシリアルスキャンさせるとともに、一方で非記録時に被記録媒体を記録幅に等しい量で間欠搬送するものである。
【０００４】
この記録方法は、記録信号に応じてインクを記録用紙上に吐出させて記録を行うものであり、ランニングコストが安く、静かな記録方式として広く用いられている。また近年では、複数色のインクを用い、カラー記録装置に応用した製品も数多く実用化されている。
【０００５】
このようなカラーインクジェット記録装置において、ブラックインクは文字等の印刷に多用されることから、印刷のシャープさ、鮮明さ及び高い印字濃度が要求される。そこで、被記録材に対するブラックインクの浸透性を下げ、ブラックインク中の色材が被記録材へ浸透するのを抑制する技術が知られている。
【０００６】
一方、カラーインクは、異なる色の２種のインクが隣接して被記録材に付与されたときに、該インク同士が境界部で混ざりあってしまいカラー画像の品位を低下させる現象（ブリーディング）が発生する。これを防ぐために、被記録材に対する浸透性を上げ、カラーインク同士が被記録材表面で混ざり合うことを防止する技術が知られている（例えば、特開昭５５−６５２６９）。
【０００７】
しかしながら、上記インクセットを用いた場合、以下の２つの問題が発生する。
【０００８】
第１にカラーインクは浸透性が高いため定着時間は早いものの、ブラックインクは浸透性が低いため乾燥定着時間が長くかかる。これにより、前のページが排紙された後に、連続して次のページが排紙されると、前のページのブラックインクが完全に乾いていないために前のページの印字面及び次のページの印字裏面を汚してしまう場合がある。（このような印字面および裏面の汚れを以下「スミア」とよぶ。）この問題は印刷速度の向上に伴い大きな問題となってくる。
【０００９】
第２にブラックインクは浸透性が低いためにブラックとカラーが接する画像においてブラックとカラーの境界領域でにじみ（境界ブリーディング）が発生する。これはカラーの記録画像の品質を著しく低下させる問題である。
【００１０】
これら２つの解決策として、従来から以下のような対策がとられている。
【００１１】
第１の対策は、加熱定着器等の定着手段を設ける方法である。これにより紙面に高速にインクを定着させることでスミア及び境界ブリーディングを防止することが可能になる。
【００１２】
第２の対策は、排紙待ち制御を行う方法がある。これは１枚目が印刷されて十分に乾燥するまでの間、２枚目の印刷開始を一時停止するか、または２枚目を印字終了した後に排紙動作を一時停止するものである。これによりスミアは抑えることができる。
【００１３】
第３の対策は、浸透性の高いカラーインクをブラックインクの印字領域に重ねて印字する方法である。カラーインクによって紙面が塗れた状態の上にブラックインクが印字されるためブラックインクは紙面に定着しやすくなり、スミアを抑えることができる。さらに、ブラックとカラーインクが反応して凝集するタイプのインクセットを用いることで境界ブリーディングを抑えることができる。
【特許文献１】特開昭５５−６５２６９号公報
【発明の開示】
【発明が解決しようとする課題】
【００１４】
しかしながら、上述した方法においては以下の不具合があった。
【００１５】
第１の対策の不具合は、定着手段を設けることで装置の大型化、コストの増大はさけられなくなる。またシリアルプリンタにおいて、紙送りが間欠的であるため定着器を通す際に送りムラが生じてしまう可能性もある。
【００１６】
第２の対策の不具合は、排紙待ちを行うことでスループットが低下することである。
【００１７】
第３の対策の不具合は、カラーインクを重ねて印字することで黒画像のシャープネスの劣化、黒文字品位の劣化を伴うことである。また、スミア防止に必要なカラーインク付与量と境界ブリーディングを防止するのに必要なカラーインク付与量が異なる場合にスミアと境界ブリーディングの抑制を両立させることが困難であった。
【００１８】
本発明は以上の点を鑑みてなされたものであり、スミアと境界ブリーディングを抑制し、かつ、高品位な黒文字品位を記録可能なインクジェット記録装置を提供することにある。
【課題を解決するための手段】
【００１９】
上記目的を達成するため本発明による記録装置は以下の構成を備える。すなわち、ブラックドットが近接するブラック画素を検出するブラックドット近接画素検出手段とカラードットの解像度をブラックの解像度に合わせるためのカラードット縮小手段とカラードットが近接するブラック画素を検出するカラードット近接画素検出手段とブラックドット近接画素検出手段及び、カラードット近接画素検出手段によって検出されたブラックドット近接画素及び、カラードット近傍画素をカラードットの解像度にあわせるためのカラードット展開手段と、前記ブラックドット近接画素と第１のカラードット付与用マスクとの論理積をとることで付与するカラードットデータを生成する第１のカラードット付与データ生成手段と、前記カラードット近接画素と第２のカラードット付与用マスクとの論理積をとることで付与するカラードットデータを生成する第２のカラードット付与データ生成手段と、前記第１のカラードット付与データ生成手段と前記第２のカラードット付与データ生成手段とによって生成されたカラードット付与データをオリジナルカラーデータと論理和をとることで合成するカラードット付与データ合成手段と、ラックオリジナルデータと前記カラードット付与データ合成手段により合成されたカラーデータに基づいて記録を行う記録手段とを有する。
【００２０】
また、好ましくは、前記近接ブラックドット近接画素検出手段は、着目画素を中心としたＬ×Ｍ（Ｌ，Ｍ＝１，３，５．．．ｎ，ｎ＋２）のマトリクス内のドットをすべて論理積をとることでブラックドットの有無を検出し、着目画素にブラックドットが存在し、かつ、論理積が偽である場合に、この前記着目画素のブラックドット近接画素をオフする。
【００２１】
また、好ましくは、前記近接ブラックドット近接画素検出手段は、オリジナルブラックデータを近傍８方向へ所定の画素数分くり抜いたデータをブラックドット近接画素とする。
【００２２】
また、好ましくは、前記カラードット縮小手段はブラックドットの解像度とカラードットの解像度が１：Ｎ（Ｎ＝１，３，５．．．ｎ，ｎ＋２）の比率の場合、ブラック１ドットに対応したカラーデータをＮ×Ｎのマトリックス内にデータを入れ、すべてのカラードットの論理和をとり、それが真の場合、前記Ｎ×Ｎのマトリックス内のカラーデータに対するカラードット縮小データをオンにする。
【００２３】
また、好ましくは、前記近接カラードット近接画素検出手段は、着目画素を中心としたＬ×Ｍ（Ｌ，Ｍ＝１，３，５．．．ｎ，ｎ＋２）のマトリクス内の全てのカラードット縮小データの論理和をとり、着目画素にブラックドットが存在し、かつ、論理和が真の場合に、前記着目画素のカラードット近接画素をオンする。
【００２４】
また、好ましくは、前記近接カラードット近接画素検出手段は、オリジナルカラーデータを近傍８方向へ所定の画素数分ボールドしたデータと、前記着目画素をブラックドット近接画素との論理積をとったデータをカラードット近接画素とする。
【００２５】
また、好ましくは、前記カラードット展開手段は、ブラックドット近傍画素をカラードットの解像度にするためにブラックドット近傍画素がオンである場合、Ｎ×Ｎの展開マトリックスにデータを置き換えたものを前記ブラックドット近傍展開画素とし、また、カラードット近傍画素を元のカラードットの解像度にするためにカラードット近傍画素がオンである場合、Ｎ×Ｎの展開マトリックスにデータを置き換えたものを前記カラードット近傍展開画素とする。
【００２６】
また、好ましくは、第１のカラードット付与用マスク及び第２のカラードット付与用マスクは、インク色毎に独立に備える。
【００２７】
また、好ましくは、前記カラーインクがイエロー，マゼンタ，シアンの３色である。
【００２８】
また、好ましくは、前記カラードット近接画素検出手段が検出するカラードットは、イエロー，マゼンタ，シアンデータの論理和をとったデータと、オリジナルブラックデータを反転したデータで論理和をとったデータとする。
【００２９】
また、好ましくは、前記ブラックインクは比較的浸透性の低いインクであり、前記カラーインクは比較的浸透性の高いインクである。
【００３０】
また、好ましくは、前記カラーインクの内少なくとも１つは前記ブラックインクと反応して凝集するタイプの反応系インクである。
【００３１】
また、好ましくは、前記ブラックインクと反応して凝集するタイプのインクがシアンインクである。
【００３２】
また、好ましくは、前記ブラックオリジナルデータからカラードット近接画素を除いたデータと、カラードット近接画素とブラックデータ間引きマスクとの論理積をとったデータとの論理和データをブラックデータとして記録する。
【００３３】
また、好ましくは、前記ブラックオリジナルデータからブラック近接画素を除いたデータと、ブラック近接画素とブラックデータ間引きマスクとの論理積をとったデータとの論理和データをブラックデータとして記録する。
【００３４】
また、好ましくは、被記録媒体に対して記録ヘッドを相対的に走査させる手段と、前記被記録媒体を前記走査方向と交差する方向に所定量搬送する手段と、１度の走査で記録すべき全ての領域或いは一部の領域のブラックデータとカラーデータを所定のマトリクスサイズでドットカウントする手段と、ドットカウントした結果に基づいて、前記第１の付与カラードット生成と、前記第２の付与カラードット生成手段を行うか否かを判定するカラードット付与判定手段と、前記カラードット付与判定手段の判定に基づいて処理したブラックデータとカラーデータを記録する。
【００３５】
また、好ましくは、ブラック，シアン，マゼンタ，イエローのチップを横並びに構成した記録ヘッドを用いて記録する。
【００３６】
また、好ましくは、ブラック１色で走査する走査幅と４色で走査する走査幅の差分の領域のドットカウントを行う。
【００３７】
また、好ましくは、ブラックインクより先にカラーインクを記録するように印字方向を規定する。
【発明の効果】
【００３８】
以上説明したように、本実施形態によればブラックドットとカラードットの解像度が違う記録ヘッドを用いて記録を行なう記録装置において、文字のエッジ領域を除いた比較的高デューティのブラックデータに対してカラードットの付与を行うことで、高デューティ領域のスミアを防止するとともにエッジがシャープで高品位な黒文字の記録が可能となる。さらに、ブラックとカラーの境界領域に対しては、スミアのカラードット付与量とは異なるカラードットの付与を行うことで、ブラックとカラー間の境界ブリーディングを抑えた高画質なカラー画像を記録可能となる。
【発明を実施するための最良の形態】
【００３９】
以下、図面を参照して本発明の記録装置に係わる実施形態を説明する。なお、以下に説明する実施形態では、インクジェット記録方式を用いた記録装置としてプリンタを例に挙げ説明する。
【００４０】
（１）カラー記録装置の説明
図１２は、本発明を適応可能なカラーインクジェット記録装置の一実施例の構成を示す概略斜視図である。この図において、２０２はインクカートリッジである。これらは、４色のカラーインク（ブラック、シアン、マゼンタ、イエロー）がそれぞれ入れられたインクタンクと、記録ヘッド２０１から構成されている。１０３は紙送りローラで、１０４の補助ローラとともに印字紙１０７を抑えながら図中の矢印方向に回転し、印字紙１０７の給紙を行うとともに、１０３、１０４同様に印字紙１０７を抑える役割も果たしている。１０６はキャリッジであり、４つのインクカートリッジを支持し、搭載するインクカートリッジ２０２および記録ヘッド２０１を印字とともに移動させる。このキャリッジ１０６は、記録装置が印字を行っていないとき、あるいは記録ヘッドの回復動作を行うときには図の点線で示したホームポジション位置に待機するように制御される。
【００４１】
印字開始前、図の位置（ホームポジション）に位置するキャリッジ１０６は、印字開始命令がくると、ｘ方向に移動しながら記録ヘッド２０１に設けられた記録素子を駆動して紙面上に記録ヘッドの記録幅に対応した領域の印字を行う。キャリッジの走査方向に沿って、紙面端部まで印字が終了すると、キャリッジは元のホームポジションに戻り、再びｘ方向への記録を行う。前回の記録走査が終了してから、続く記録走査が始まる前に紙送りローラ１０３が図に示した矢印方向へ回転して必要な幅だけｙ方向への紙送りが行われる。このように印字のための主走査と紙送りとを繰り返すことにより一紙面上への印字が完成する。記録ヘッドからインクを吐出する記録動作は、記録制御手段（不図示）からの制御に基づいて行われる。
【００４２】
また、記録速度を高めるため、一方向への主走査時のみ記録を行うのではなく、ｘ方向への主走査の記録が終わりキャリッジをホームポジション側へ戻す際の復路においても記録を行う構成であってもよい。
【００４３】
また、以上説明した例ではインクタンクと記録ヘッドとが分離可能にキャリッジ１０６に保持しているものである。記録用のインクを収容するインクタンク２０２と記録紙１０７に向けてインクを吐出する記録ヘッド２０１とが一体になったインクジェットカートリッジであってもよい。さらに、一つの記録ヘッドから複数色のインクを吐出可能な複数色一体型記録ヘッドを用いてもよい。
【００４４】
また、前述の回復動作を行う位置には、ヘッドの前面（吐出口面）をキャップするキャッピング手段（不図示）や、キャッピング手段によるキャップ状態で記録ヘッド内の増粘インクや気泡を除去する等のヘッド回復動作を行う回復ユニット（不図示）が設けられている。また、キャッピング手段の側方には、クリーニングブレード（不図示）等が設けられ記録ヘッド２０１に向けて突出可能に支持され、記録ヘッドの前面との当接が可能となっている。これにより、回復動作後に、クリーニングブレードを記録ヘッドの移動経路中に突出させ、記録ヘッドの移動にともなって記録ヘッド前面の不要なインク滴や汚れ等の払拭が行われる。
【００４５】
（２）記録ヘッドの説明
次に、上述した記録ヘッド２０１について図１３を参照して説明する。図１３は、図１２に示した記録ヘッド２０１の要部斜視図である。記録ヘッド２０１は、図１３に示すようにそれぞれが所定のピッチで複数の吐出口３００が形成されており、共通液室３０１と各吐出口３００とを連結する各液路３０２の壁面に沿ってインク吐出用のエネルギーを発生するための記録素子３０３が配設されている。記録素子３０３とその回路はシリコン上に半導体製造技術を利用して作られている。また、温度センサ（不図示）、サブヒータ（不図示）も同一シリコン上に半導体製造プロセスと同様のプロセスで一括形成される。これらの電気配線が作られたシリコンプレート３０８を放熱用のアルミベースプレート３０７に接着している。また、シリコンプレート上の回路接続部３１１とプリント板３０９とは超極細ワイヤー３１０により接続され記録装置本体からの信号は信号回路３１２を通して受け取られる。液路３０２および共通液室３０１は射出成形により作られたプラスチックカバー３０６で形成されている。共通液室３０１は、前述したインクタンク（図１２参照）とジョイントパイプ３０４とインクフィルター３０５を介して連結しており、共通液室３０１にはインクタンクからインクが供給される構成となっている。インクタンクから共通液室３０１に供給されて一時的に貯えられたインクは、毛管現象により液路３０２に侵入し、吐出口３００でメニスカスを形成して液路３０２を満たした状態を保つ。このとき、電極（不図示）を介して記録素子３０３が通電されて発熱すると、記録素子３０３上のインクが急激に加熱されて液路３０２内に気泡が発生し、この気泡の膨張により吐出口３００からインク滴３１３が吐出される。
【００４６】
（３）制御構成の説明
次に、装置構成の各部の記録制御を実行するための制御構成について、図１４に示すブロック図を参照して説明する。制御回路を示す同図において、４００は記録信号を入力するインターフェ−ス、４０１はＭＰＵ、４０２はＭＰＵ４０１が実行する制御プログラムを格納するプログラムＲＯＭ、４０３は各種データ（上記記録信号やヘッドに供給される記録データ等）を保存しておくダイナミック型のＲＡＭ（ＤＲＡＭ）であり、印字ドット数や、インク記録ヘッドの交換回数等も記憶できる。４０４は記録ヘッドに対する記録データの供給制御を行うゲートアレイであり、インターフェース４００、ＭＰＵ４０１、ＤＲＡＭ４０３間のデータの転送制御も行う。４０５は記録ヘッドを搬送するためのキャリアモータ（ＣＲモータ）、４０６は記録用紙搬送のための搬送モータ（ＬＦモータ）である。４０７、４０８は夫々搬送モータ４０５、キャリアモータ４０６を駆動するモータドライバである。４０９は記録ヘッド４１０を駆動するヘッドドライバーである。
【００４７】
［実施形態１］
○実施形態１の概要
本実施形態においては、ブラックの着目画素を中心とした３×３マトリクス内のドットの論理積を取り、ブラックドットが３×３のマトリクス内の中に存在する場合に、着目画素をブラックドット隣接画素とし、そのブラックドット隣接画素を展開パターンに置き換えたブラックドット隣接展開画素と第１のカラードット付与用マスクとの論理積をとることで第１のカラードット付与データを生成する。そして、カラーデータを縮小したカラードット縮小データをカラーブラックの着目画素を中心とした６×６マトリクス内のドットの論理和を取り、着目画素にブラックドットが存在し、かつ、カラードット縮小データが１ドット以上存在する場合に、着目画素をカラードット隣接画素とし、そのカラードット隣接画素を展開パターンに置き換えたカラードット隣接展開画素と第２のカラードット付与用マスクとの論理積をとることで第２のカラードット付与データを生成する。上記第１のカラードット付与データと第２のカラードット付与データをオリジナルカラーデータと合成して記録することで境界ブリーディングとスミアを防止するとともに、高品位な黒文字を記録可能とする。
○全体のデータ処理
図１は、ブラックドット近接画素の検出、カラードット近接画素の検出、カラードット付与データの生成、印字用データの生成の流れを説明するブロック図である。
【００４８】
オリジナルＢｋデータ（Ｄ１０００）を用いて、スミア防止用にカラードットを付与すべきブラックドット近接画素の検出処理（Ｅ１０００）を行うことで、ブラックドット近接画素データ（Ｄ１００１）を生成する。このブラックドット近接画素データ（Ｄ１００１）をブラックドット近接画素データの展開処理（Ｅ１０１０）を行い、ブラックドット近接展開画素データ（Ｄ１０１８）を生成する。ブラックドット近接展開画素データ（Ｄ１０１８）に対してＣマスク１（Ｅ１００１），Ｍマスク１（Ｅ１００２），Ｙマスク１（Ｅ１００３）との論理積をとることでＣ付与データ１（Ｄ１００２），Ｍ付与データ１（Ｄ１００３），Ｙ付与データ１（Ｄ１００４）を生成する。
【００４９】
次に、オリジナルＣデータ（Ｄ１００５），オリジナルＭデータ（Ｄ１００６），オリジナルＹデータ（Ｄ１００７）の論理和をとったオリジナルＣ，Ｍ，ＹのＯＲデータ（Ｄ１００８）をカラーＯＲデータを圧縮処理（Ｅ１００９）カラードット縮小データとオリジナルＢｋデータ（Ｄ１０００）を用いて、境界ブリーディング防止用にカラードットを付与すべきカラードット近接画素の検出処理（Ｅ１００４）を行い、カラードット近接画素データ（Ｄ１００９）を生成し、カラードット近傍画素データの展開処理（Ｅ１０１０）を行うことでカラードット近接展開画素データ（Ｄ１０１８）を生成する。カラードット近接展開画素データ（Ｄ１０１８）に対して、Ｃマスク２（Ｅ１００５），Ｍマスク２（Ｅ１００６），Ｙマスク２（Ｅ１００７）との論理積をとることでＣ付与データ２（Ｄ１０１０），Ｍ付与データ２（Ｄ１０１１），Ｙ付与データ２（Ｄ１０１２）を生成する。オリジナルＣデータ（Ｄ１００５）とＣ付与データ１（Ｄ１００２）とＣ付与データ２（Ｄ１０１０）の論理和をとり印字用のＣデータ（Ｄ１０１３）を生成する。同様の処理を行うことで印字用のＭデータ（Ｄ１０１４），印字用のＹデータ（Ｄ１０１５）を生成する。オリジナルＢｋデータ（Ｄ１０００）はそのまま加工されることなく印字用のＢｋデータ（Ｄ１０１６）とする。
○カラードット付与対象画素の検出処理
・スミア防止用のブラックドット近接画素の検出
図２はスミア防止用のブラックドット近接画素の検出処理のフローチャート図である。
【００５０】
着目画素にブラックドットが存在し、かつ、３×３マトリクス内にブラックドットが存在するか否かを判定する（Ｓ１０１）。もし、３×３マトリクス内のブラックドットの論理積が真の場合は着目画素のビットをオフにする（Ｓ１０２）。そうでない場合には、着目画素のビットを変化させない（Ｓ１０３）。続いて、着目画素をシフトさせる（Ｓ１０４）。全てのデータが終了すれば終了（Ｓ１０５）とし、そうでなければ上記処理を繰り返す。
【００５１】
図３は、ブラックドット近接画素の検出例を図にしたものである。
【００５２】
図３−（ａ）は、着目画素を中心とした３×３マトリクスを表している。図３−（ｂ）はブラックオリジナル画像である。ブラックオリジナルデータに対して３×３マトリクスを順次１画素づつシフトさせながら処理を行う。マトリクス内の論理積が真の場合に着目画素のビットをオフにしていくと、図３−（ｃ）に表すようにスミア防止用のブラックドット近接画素が検出できる。
【００５３】
図３−（ｃ）を見てわかるように、この処理によってブラックの比較的デューティの高い領域のみが検出される。比較的デューティの低いエッジ領域は検出されないためカラードットが付与されることはなく、ブラック画像のシャープさを保つことができる。
・ブリーディング防止用のカラードット近接画素の検出
図４はカラーＯＲデータの圧縮処理の処理例を示す。
【００５４】
図４−（ａ）はブラック１ドットに対応したカラーデータ２×２マトリックスを表している。図４−（ｂ）ははカラーオリジナル画像である。このマトリックスのブラックに対応したオリジナルカラーデータの全ての論理和が真である場合、カラードット縮小データをオンにし、そうでない場合はオフにすることで、図４−（ｃ）に示すようにカラードット縮小データが処理できる。
【００５５】
図５はブラックとカラーのブリーディング防止用のカラードット近接画素の検出処理のフローチャート図である。
【００５６】
着目画素にブラックドットが存在し、かつ、３×３マトリクス内にカラードット縮小データが存在するか否かを判定する（Ｓ２０１）。もし、３×３マトリクス内のカラードット縮小データの論理和が真である場合は着目画素のビットをオンにする（Ｓ２０２）。そうでない場合には、着目画素のビットを変化させない（Ｓ２０３）。続いて、着目画素をシフトさせる（Ｓ２０４）。全てのデータが終了すれば終了（Ｓ２０５）とし、そうでなければ上記処理を繰り返す。
【００５７】
図６は、ブリーディング防止用のカラードット近接画素の検出例を図にしたものである。
【００５８】
図６−（ａ）は、着目画素を中心とした３×３マトリクスを表している。図６−（ｂ）はブラックオリジナル画像、図６−（ｃ）はカラーオリジナル画像である。ブラックオリジナルデータとカラーオリジナルデータに対して３×３マトリクスを順次１画素づつシフトさせながら処理を行う。マトリクス内のカラー総ドット数が１以上の場合に着目画素のビットをオンにしていくと、図６−（ｄ）に表すようにブリーディング防止用のカラードット付与対象画素が検出できる。
図６−（ｄ）を見てわかるように、この処理によってブラックとカラーの境界領域のみが検出される。境界領域にカラードットを付与することで境界ブリーディングを防止することが可能となる。
○カラードット展開データの生成
図７はカラードット近接画素の展開処理及び、ブラックドット近接画素の展開処理処理例を示す。
【００５９】
図７−（ａ）はカラードット近接画素及び、ブラックドット近接画素１ドットに対応した展開マトリックスを表している。図７−（ｂ）はカラードット近接画素である。この展開マトリックスとカラードット近接画素との論理積をとることで、図７−（ｃ）に示すようにカラードット近接展開データが処理できる。
【００６０】
また、図７−（ｄ）はブラックドット近接画素である。図７−（ａ）の展開マトリックスとブラックドット近接画素との論理積をとることで、図７−（ｅ）に示すようにブラックドット近接展開データが処理できる。ここで、展開パターンはインクの特性や記録装置の構成に応じて、適切な値とすることが好ましい。また、展開パターン内のドットの配置を毎カラム、毎ラスタごとに更新してもよいし、擬似的にランダムにしてもよい。
○カラードット付与データの生成
・スミア防止用のカラードット付与データの生成
図８は、スミア防止用のカラードット付与データの生成例を図にしたものである。図６−（ａ）はブラックドット近接展開画素データである。図８−（ｂ）〜（ｄ）は所定量の付与データを生成するためのシアン，マゼンタ，イエローのマスク１を表している。ここで、各色の付与データ量の割合はシアンを１８％、マゼンタを６％、イエローを５％とする。ブラックドット近接画素データと各色のマスク１との論理積をとることで図８−（ｅ）〜（ｇ）の各色の付与データが生成される。ここで、各色の付与データの量およびマスクサイズはインクの特性や記録装置の構成に応じて、適切な値とすることが好ましい。また、マスク内のドットの配置方法は規則性を持たせてもよいし、疑似的にランダムにしてもよい。
・ブリーディング防止用のカラードット付与データの生成
図９は、ブリーディング防止用のカラードット付与データの生成例を図にしたものである。図９−（ａ）はカラードット近接展開画素データである。図９−（ｂ）〜（ｄ）は所定量の付与データを生成するためのシアン，マゼンタ，イエローのマスク１を表している。ここで、各色の付与データ量の割合はシアンを３０％、マゼンタを５％、イエローを５％とする。カラードット近接画素データと各色のマスク２との論理積をとることで図９−（ｅ）〜（ｇ）の各色の付与データが生成される。ここで、シアンの付与量を比較的多くしているのはブラックインクに対してシアンインクのみが反応性をもち、凝集するタイプのインクシステムの記録装置を想定しているからである。各色の付与データの量およびマスクサイズはインクの特性や記録装置の構成に応じて、適切な値とすることが好ましい。また、マスク内のドットの配置方法は規則性を持たせてもよいし、疑似的にランダムにしてもよい。
○印字用カラーデータの生成
図１０は印字用カラーデータの生成処理のフローチャート図である。ブラックドット近接画素データを検出する（Ｓ３０１）。続いて、ブラックドット近接画素データとシアン，マゼンタ，イエローのマスク１との論理積をとることでシアン，マゼンタ，イエローの付与データ１を生成する（Ｓ３０２）。次に、カラードット近接画素データを検出し（Ｓ３０３）、シアン，マゼンタ，イエローのマスク２との論理積をとることでシアン，マゼンタ，イエローの付与データ２を生成する（Ｓ３０４）。最後に、オリジナルのシアン，マゼンタ，イエローデータと各色の付与データ１と各色の付与データ２との論理和をとり、印字用シアン，マゼンタ，イエローデータとする（Ｓ３０５）。
○オリジナルブラックデータの間引き処理
図１１は、オリジナルブラックデータの間引き例を表した図である。図１１−（ａ）はオリジナルブラックデータを表している。図１１（ｂ）は、カラードット近接画素データを表している。ここで、カラーオリジナルデータは実施形態１と同じと仮定する。カラードット近接画素データと図１１−（ｄ）に示したブラック間引きマスクとの論理積をとることで図１１−（ｆ）に示したブラック間引きデータを生成する。一方、カラードット近接外のデータを図１１−（ｃ）に表している。前記ブラック間引きデータとカラードット近接外データとの論理和をとることで図１１−（ｅ）に示した印字用ブラックデータを生成する。
【００６１】
このように境界領域のブラックデータを間引くことでブリーディング抑制効果を向上させることが可能となる。
【００６２】
また、ブラックドット近接画素データに対しても同様にブラックデータを間引く処理を行うことでスミア防止効果を向上させても良い。
【図面の簡単な説明】
【００６３】
【図１】実施形態１のカラードット付与対象画素の検出、カラードット付与データの生成、印字用データの生成の流れを説明するブロック図である。
【図２】実施形態１のスミア防止用のカラードット付与対象画素の検出処理のフローチャート図である。
【図３】実施形態１のスミア防止用のカラードット付与対象画素の検出例を図にしたものである。
【図４】実施形態１のカラーＯＲデータの圧縮処理の処理の処理例を図にしたものである。
【図５】実施形態１のブラックとカラーのブリーディング防止用のカラードット付与対象画素の検出処理のフローチャート図である。
【図６】実施形態１のブリーディング防止用のカラードット付与対象画素の検出例を図にしたものである。
【図７】実施形態１のカラードット近接画素の展開処理及び、ブラックドット近接画素の展開処理処理の処理例を図に示したものである。
【図８】実施形態１のスミア防止用のカラードット付与データの生成例を図にしたものである。
【図９】実施形態１のブリーディング防止用のカラードット付与データの生成例を図にしたものである。
【図１０】実施形態１の印字用カラーデータの生成処理のフローチャート図である。
【図１１】実施形態１のオリジナルブラックデータの間引き例を表した図である。
【図１２】本発明を適応可能なカラーインクジェット記録装置の一実施例の構成を示す概略斜視図である。
【図１３】本発明を適応可能な記録ヘッドの要部斜視図である。
【図１４】本発明を適応可能なインクジェット記録装置の制御ブロック図である。
【図１】
2006240058.tif 000003
【図２】
2006240058.tif 000004
【図３】
2006240058.tif 000005
【図４】
2006240058.tif 000006
【図５】
2006240058.tif 000007
【図６】
2006240058.tif 000008
【図７】
2006240058.tif 000009
【図８】
2006240058.tif 000010
【図９】
2006240058.tif 000011
【図１０】
2006240058.tif 000012
【図１１】
2006240058.tif 000013
【図１２】
2006240058.tif 000014
【図１３】
2006240058.tif 000015
【図１４】
2006240058.tif 000016